(57)【要約】【目的】  多量の音楽データの中から目的の音楽データを検索する際に、所望の音楽データをユーザが容易に検索できるようにする。【解決手段】  複数の音楽データおよび各音楽データに対応し、各音楽データに関する関連情報をあらかじめ記憶する音楽データベースを外部記憶装置１０に格納し、制御部１は、再生対象の音楽データに対応する関連情報に基づいて、当該再生対象の音楽データに関連づけられる他の音楽データを前記音楽データベースから抽出し、抽出された音楽データのリストを再生候補音楽データとして画像合成部３を介して画像表示部４に表示する。【選択図】      図１
2005284574.tif 000002
【特許請求の範囲】
【請求項１】
複数の音楽データおよび各前記音楽データに対応し、各前記音楽データに関する関連情報をあらかじめ記憶する音楽データベースと、
再生対象の音楽データに対応する前記関連情報に基づいて、当該再生対象の音楽データに関連づけられる他の音楽データを前記音楽データベースから抽出する音楽データ抽出部と、
抽出された音楽データのリストを再生候補音楽データとして提示するリスト提示部と、
を備えたことを特徴とする車載用情報機器。
【請求項２】
請求項１記載の車載用情報機器において、
前記関連情報は、アルバム名、アーティスト名、曲名、当該音楽データに対応する音楽が属するジャンル名、所定の評価基準のうち、少なくともいずれかを含むことを特徴とする車載用情報機器。
【請求項３】
請求項１または請求項２記載の車載用情報機器において、
前記音楽データ抽出部は、前記再生対象の音楽データと同一あるいは類似の前記関連情報を有する他の音楽データを前記音楽データベースから抽出することを特徴とする車載用情報機器。
【請求項４】
請求項１ないし請求項３のいずれかに記載の車載用情報機器において、
前記関連情報は、前記再生対象の音楽データの前回の再生順を含み、
前記音楽データ抽出部は、前記前回の再生順に従って前記再生対象の音楽データの前後所定範囲に再生された他の音楽データを前記音楽データベースから抽出することを特徴とする車載用情報機器。
【請求項５】
請求項１ないし請求項４のいずれかに記載の車載用情報機器において、
前記リストを構成する音楽データのうち、少なくとも一部をユーザが指定するための操作部と、
前記指定された音楽データに基づいて再生を行う音楽再生部と、
を備えたことを特徴とする車載用情報機器。
【請求項６】
複数の音楽データおよび各前記音楽データに対応し、各前記音楽データに関する関連情報をあらかじめ記憶する音楽データベースを備えた車載用情報機器の制御方法において、
再生対象の音楽データに対応する前記関連情報に基づいて、当該再生対象の音楽データに関連づけられる他の音楽データを前記音楽データベースから抽出する音楽データ抽出過程と、
抽出された音楽データのリストを再生候補音楽データとして提示するリスト提示過程と、
を備えたことを特徴とする車載用情報機器の制御方法。
【請求項７】
複数の音楽データおよび各前記音楽データに対応し、各前記音楽データに関する関連情報をあらかじめ記憶する音楽データベースを備えた車載用情報機器をコンピュータにより制御するための制御プログラムにおいて、
再生対象の音楽データに対応する前記関連情報に基づいて、当該再生対象の音楽データに関連づけられる他の音楽データを前記音楽データベースから抽出させ、
抽出された音楽データのリストを再生候補音楽データとして提示させる、
ことを特徴とする制御プログラム。
【請求項８】
請求項７記載の制御プログラムにおいて、
前記再生対象の音楽データと同一あるいは類似の前記関連情報を有する他の音楽データを前記音楽データベースから抽出させることを特徴とする制御プログラム。
【請求項９】
請求項７または請求項８記載の制御プログラムにおいて、
前記関連情報は、前記再生対象の音楽データの前回の再生順を含み、
前記前回の再生順に従って前記再生対象の音楽データの前後所定範囲に再生された他の音楽データを前記音楽データベースから抽出させることを特徴とする制御プログラム。
【請求項１０】
請求項７ないし請求項９のいずれかに記載の制御プログラムにおいて、
前記車載用情報機器は、前記リストを構成する音楽データのうち、少なくとも一部をユーザが指定するための操作部を備え、
前記指定された音楽データに基づいて再生を行わせる、
ことを特徴とする制御プログラム。
【請求項１１】
請求項７ないし請求項１０のいずれかに記載の制御プログラムを記録したことを特徴とするコンピュータ読取可能な記録媒体。
【発明の詳細な説明】
【技術分野】
【０００１】
本発明は、車載用情報機器、車載用情報機器の制御方法、制御プログラムおよび記録媒体に係り、特に、音楽データの再生が可能な車載用情報機器、車載用情報機器の制御方法、制御プログラムおよび記録媒体に関する。
【背景技術】
【０００２】
多量の音楽データの中から目的の音楽を探し出して再生する場合、目的の音楽データを探索するには次のような方法が挙げられる。たとえば音楽データの記録方式が階層構造をとっているのであれば、ユーザ自身の記憶や階層構造に付けられた名前から階層構造を順にたどって目的の音楽データを見つける方法がある。また、音楽データに登録された曲名やその他のキーワードから、検索機能を使って目的の音楽データを見つける方法がある。
【０００３】
また、音楽データが作成された日時や、再生された日時や、再生された頻度をもとに検索する方法などがある。
特許文献１には、自車及び自車の周辺の状況に応じて、再生する音楽を自動的に検索し、検出された音楽をオーディオ装置で自動的に再生する技術が開示されている。
また、特許文献２には、ユーザにより設定された言葉を用いて所望の音楽を検索できる音楽検索システムが開示されている。
【特許文献１】特開平１３−３２４３３５号
【特許文献２】特開平１５−０２２２８２号
【発明の開示】
【発明が解決しようとする課題】
【０００４】
車載用情報機器においては、これら情報検索の操作にはボタンやタッチパネル、音声による操作が可態となっているが、機器操作時の安全を考慮し、簡単な操作で効率的な検索方法が望まれ、できるだけユーザの操作が簡潔に終了することが望まれる。
従来の検索方法では、ユーザが階層構造の中から必要な情報を直接探したりする方法では、ユーザは選択した階層をその都度確認する必要があり、また音楽データが階層の奥深くに存在する場合は、繰り返し階層を選択する操作手順を踏む必要がある。
曲名などのキーワードによる検索方法は、あらかじめユーザがキーワードを音楽データに登録したり、音楽ＣＤデータベースを利用することで自動的に音楽データに曲名などを登録することで可能となる。しかし、上記2つのいずれの方法を用いても、別の音楽データを検索しようとした場合は、検索のステップを初めからおこなわなければならない。
そこで、本発明の目的は、車載情報機器において、多量の音楽データの中から目的の音楽データを検索する際に、所望の音楽データをユーザが容易に検索できるようにすることにある。
【課題を解決するための手段】
【０００５】
上記課題を解決するため、複数の音楽データおよび各前記音楽データに対応し、各前記音楽データに関する関連情報をあらかじめ記憶する音楽データベースと、再生対象の音楽データに対応する前記関連情報に基づいて、当該再生対象の音楽データに関連づけられる他の音楽データを前記音楽データベースから抽出する音楽データ抽出部と、抽出された音楽データのリストを再生候補音楽データとして提示するリスト提示部と、を備えたことを特徴としている。
上記構成によれば、音楽データ抽出部は、再生対象の音楽データに対応する前記関連情報に基づいて、当該再生対象の音楽データに関連づけられる他の音楽データを前記音楽データベースから抽出する。
これによりリスト提示部は、抽出された音楽データのリストを再生候補音楽データとして提示する。
【０００６】
この場合において、前記関連情報は、アルバム名、アーティスト名、曲名、当該音楽データに対応する音楽が属するジャンル名、所定の評価基準のうち、少なくともいずれかを含むようにしてもよい。
また、前記音楽データ抽出部は、前記再生対象の音楽データと同一あるいは類似の前記関連情報を有する他の音楽データを前記音楽データベースから抽出するようにしてもよい。
さらに、前記関連情報は、前記再生対象の音楽データの前回の再生順を含み、前記音楽データ抽出部は、前記前回の再生順に従って前記再生対象の音楽データの前後所定範囲に再生された他の音楽データを前記音楽データベースから抽出するようにしてもよい。
さらにまた、前記リストを構成する音楽データのうち、少なくとも一部をユーザが指定するための操作部と、前記指定された音楽データに基づいて再生を行う音楽再生部と、を備えたことを特徴としている。
【０００７】
また、複数の音楽データおよび各前記音楽データに対応し、各前記音楽データに関する関連情報をあらかじめ記憶する音楽データベースを備えた車載用情報機器の制御方法は、再生対象の音楽データに対応する前記関連情報に基づいて、当該再生対象の音楽データに関連づけられる他の音楽データを前記音楽データベースから抽出する音楽データ抽出過程と、抽出された音楽データのリストを再生候補音楽データとして提示するリスト提示過程と、を備えたことを特徴としている。
また、複数の音楽データおよび各前記音楽データに対応し、各前記音楽データに関する関連情報をあらかじめ記憶する音楽データベースを備えた車載用情報機器をコンピュータにより制御するための制御プログラムは、再生対象の音楽データに対応する前記関連情報に基づいて、当該再生対象の音楽データに関連づけられる他の音楽データを前記音楽データベースから抽出させ、抽出された音楽データのリストを再生候補音楽データとして提示させる、ことを特徴としている。
この場合において、前記再生対象の音楽データと同一あるいは類似の前記関連情報を有する他の音楽データを前記音楽データベースから抽出させるようにしてもよい。
【０００８】
また、前記関連情報は、前記再生対象の音楽データの前回の再生順を含み、前記前回の再生順に従って前記再生対象の音楽データの前後所定範囲に再生された他の音楽データを前記音楽データベースから抽出させるようにしてよい。
さらに、前記車載用情報機器は、前記リストを構成する音楽データのうち、少なくとも一部をユーザが指定するための操作部を備え、前記指定された音楽データに基づいて再生を行わせるようにしてもよい。
また、上記いずれかの制御プログラムを記録したことを特徴とする。
【発明の効果】
【０００９】
本発明によれば、多量の音楽データの中から目的の音楽データを検索する際に、所望の音楽データをユーザが容易に検索できる。
【発明を実施するための最良の形態】
【００１０】
次に図面を参照して本発明の好適な実施の形態について図面を参照して説明する。
図１は、実施形態の車載用情報機器の概要構成ブロック図である。
車載用情報機器１００は、大別すると、制御部１、操作部２、画像合成部３、画像表示部４、復号部５、音楽出力部６、インターフェース部７、外部ＲＡＭ８、ディスク再生装置９および外部記憶装置１０を備えている。
制御部１は、図示しないＣＰＵ、ＲＯＭ、ＲＡＭを備え、車載情報機器全体の制御を行う。ここで、ＲＯＭには、車載器全体の制御を行うための制御プログラムが予め格納されており、ＣＰＵはＲＯＭ内の制御プログラムに基づいて、一時的にデータをＲＡＭに格納しつつ処理を行う。
【００１１】
操作部２は、ユーザの各種操作を受け付け、ＣＰＵに通知する。具体的には、操作部２は、車載用情報機器に、操作ボタン群や、画像表示部４の表示画面に重ねて設けられた透明タッチパネルや、リモコン等に設置した操作ボタン群として設けられる。また、操作部２の他の態様としては、ユーザの音声を入力するマイクを備え、入力音声を音声認識するような構成を採ることも可能である。
画像合成部３は、制御部１の制御下で、当該車載用情報機器１００の状態を表す画像を生成し、ユーザ操作により検索された音楽データのリスト情報を画像として生成する。  画像表示部４は、画像合成部３が生成した画像を表示する。具体的には、液晶ディス
プレイ装置、ＥＬディスプレイ装置等として構成される。
【００１２】
復号部５は、音楽ＣＤ等の記録媒体から符号化された音楽データを読み出し、音楽データとして復号する。
音楽出力部６は、復号部５において復号された音楽データを受け取り、Ｄ／Ａコンバータ等で信号をディジタル／アナログ変換し、スピーカ等を介して音楽を再生出力する。
インターフェース部７は、制御部１の制御下で、外部ＲＡＭ８、ディスク再生装置９および外部記憶装置から対応する記憶媒体内のデータを参照する。
外部ＲＡＭ８は、ディスク再生装置９により再生した、音楽ＣＤ、ＤＶＤ−ＲＯＭ等から再生した符号化音楽データを一時的に蓄えるバッファメモリとして機能しており、音楽再生時の音切れをなくす目的に用いられる。また、外部ＲＡＭ８は、制御部１が実行するプログラムのー時的な記憶装置として使用される。
【００１３】
ディスク再生装置９は、音楽ＣＤ、ＣＤ−ＲＯＭ、ＤＶＤ−ＲＯＭなどの符号化音楽データを記録したディスク状記録媒体を再生して、音楽データをインターフェース部７を介して制御部１に出力する。
外部記憶装置１０は、書換可能な記憶媒体に各種データを格納する装置であり、例えば、ハードディスクドライブ（ＨＤＤ）装置、フラッシュメモリ装置等として構成されている。そして、ディスク再生装置９によりディスク状記録媒体から読み出した符号化音楽データあるいは復号部５により復号した音楽データをであり、9の記憶媒体装置から読み出した音楽データを保存するために用いられるものである。また、音楽データに対応するアルバム情報、アーティスト情報などのデータベースを格納しておくのにも用いられる。
【００１４】
また、外部記憶装置１０には、音楽ＣＤのＴＯＣ情報と関連付けされた音楽ＣＤデータベース(ＣＤＤＢ)があらかじめ記録されている。ＣＤＤＢは、市販されている音楽ＣＤに対応するアルバム名データ、アーティスト名データ、曲名データ、ジャンルデータ等が記録されている。
また、たとえばメモリカード等を機器に接続できるようにしておき、メモリカードに記録したＣＤＤＢの差分情報を用いて、外部記憶装置１０内のＣＤＤＢを更新できるようにしてもよい。
【００１５】
音楽ＣＤをディスク再生装置９に装着すると、音楽ＣＤから自動的に符号化音楽データを読み出し、読み出した符号化音楽データを復号装置を通して復号し、スピーカを通して出力される。このとき、音楽ＣＤのＴＯＣ情報をもとに、音楽ＣＤに対応するアルバム名データ、アーティスト名データ、曲名データをＣＤＤＢから読み出し、再生している時間、トラック番号等とともに画面上に表示することができる。
ユーザは、音楽ＣＤがＣＤドライブ装置に装着されているときに、この音楽ＣＤを外部記憶装置１０へ記録するか否かを操作部２を介してを指示することができる。
音楽ＣＤから読み出された符号化音楽データは、復号部により復号され、再び、ＭＰ３やＷＭＡ等のなんらかの形式に圧縮処理されたのち、外部記憶装置１０に記録される。記録する際に、ＣＤＤＢから読み出したアルバム名データ、アーティスト名データ、曲名データを音楽データ内に(例えば、ＭＰ３形式の音楽データであれば、ＩＤ３タグに)自動的に登録する。なお、ユーザが指示せずとも、音楽ＣＤをＣＤドライブ装置に入れたときに、自動的に外部記憶装置１０へ記録するようにしてもよい。
【００１６】
ところで、外部記憶装置１０に記録された音楽データを再生するには、再生したい音楽データをユーザが指定する必要がある。外部記憶装置１０に記録された音楽データは、たとえば「フォルダ」と呼ばれる単位で階層構造をとる場合が多い。フォルダ名には、音楽ＣＤのアルバム名やアーティスト名、もしくはユーザによる任意の名前が付けられ、音楽データの管理や音楽データを検索する場合に有効である。
ユーザが外部記憶装置１０内に記録した多量の音楽データの中から目的の音楽データを探し出す場合には、次のような方法が挙げられる。
【００１７】
（１）フォルダ名と音楽データの一覧を画面上に表示してユーザにその中から任意に選択させる方法
（２）音楽の曲名もしくは音楽データに登録されているキーワードをもとに検索を行い、全音楽データの中から音楽データを絞り込んで提示し、その中からユーザに任意に選択させる方法
（３）それぞれの音楽データが外部記憶装置１０に記録された日時、音楽データが再生された日時を外部記憶装置１０内のデータベースへ記録しておき、日時情報をもとに全音楽データの中から音楽データを絞り込んで提示し、その中からユーザに任意に選択させる方法
（４）それぞれの音楽データを再生した頻度やその他の統計情報を外部記憶装置１０内のデータベースへ記録しておき、統計情報をもとに表示順を並べ替えてユーザに提示し、その中からユーザに選択させる方法
さらに、上記の方法を複数組み合わせて使用することも可能である。
【００１８】
外部記憶装置１０に記録した音楽データを再生すると、再生時間、曲名、アルバム名、アーティスト名等の情報が画面上に表示される。
通常、音楽データの再生が終了した後に再生される順序は以下の通りとなっている。
（１）同じフォルダにおける記録順
（２）再生順序を指示するプレイリストに記述された再生順序。通常、このプレイリストはファイルとして生成され、プレイリストに記述される再生順序などについては、ユーザが任意に設定できる。
（３）同じフォルダあるいは同一のプレイリストに含まれる音楽データをランダムに並び替えた順
【００１９】
図２は、本発明の実施形態の処理フローチャートである。
ユーザが、操作部２を介して一曲再生指示もしくはプレイリスト再生を指示すると（ステップＳ１１）、制御部１は、インターフェース部７を介してディスク再生装置９あるいは外部記憶装置１０から再生指示に従って音楽データを読み出し、音楽データ再生を行う（ステップＳ１２）。
図３は、音楽データ再生時の画像表示部の表示画面の一例を説明する図である。
図３に示すように、画像表示部４の表示画面４Ａの上部には、再生経過時間４Ｂ、タイトル名４Ｃ、アルバム名４Ｄ、アーティスト名４Ｅが表示されている。
具体的には、図３の場合、再生経過時間４Ｂ＝「００：０１」、タイトル名４Ｃ＝「Ｍｕｓｉｃ＿Ａ０１」、アルバム名４Ｄ＝「Ａｌｂｕｍ＿Ａ」、アーティスト名４Ｅ＝「Ａｒｔｉｓｔ＿Ａ」と表示されている。
【００２０】
また、表示画面４Ａの右下側には、関連曲検索を指示するための関連曲検索ボタン４Ｆが操作部２を構成するタッチパネルの操作位置に対応づけて表示されている。
この状態において、制御部１は、操作部２において、関連曲検索ボタン４Ｆに対応する操作領域の操作がなされたか否かを判別する（ステップＳ１３）。
ステップＳ１３の判別において、関連曲検索ボタン４Ｆに対応する操作領域において操作がなされていない場合には（ステップＳ１３；Ｎｏ）、処理をステップＳ１２に移行し、ステップＳ１１における指示に従った音楽データの再生を継続する。
【００２１】
図４は、関連曲検索指示がなされた場合の画像表示部の表示画面の一例を説明する図である。
ステップＳ１３の判別において、関連曲検索ボタン４Ｆに対応する操作領域において操作がなされた場合には、画像表示部の表示画面４Ａの下部に検索条件指示ボタン群４Ｇが表示される（ステップＳ１４）。
検索条件指示ボタン群４Ｇは、同一アルバム内の音楽データを検索対象とすべき指示を行うための同一アルバム指示ボタン４Ｈ、同一アーティストの音楽データを検索対象とすべき指示を行うための同一アーティスト指示ボタン４Ｉ、同一ジャンル内の音楽データを検索対象とすべき指示を行うための同一ジャンル指示ボタン４Ｊ、似た曲名の音楽データを検索対象とすべき指示を行うための類似曲名指示ボタン４Ｋ、上位ランキングの音楽データを検索対象とすべき指示を行うためのランキング指示ボタン４Ｌ、前回再生した曲順に対応する音楽データを検索対象とすべき指示を行うための前回再生曲順指示ボタン４Ｍと、を備えて構成されている。
【００２２】
この状態において、ユーザが操作部２を構成するタッチパネルの操作を行って、検索条件指示ボタン群４Ｇを構成するいずれかの指示ボタン４Ｈ〜４Ｍを選択的に操作すると、制御部１は、いずれの指示ボタンが操作されたのかを判別し、対応するリスト表示を行う（ステップＳ１６）。
【００２３】
図５は、同一アルバム内の音楽データのリスト表示を行った場合の一例を示す表示画面の説明図である。図６は、同一アーティストの音楽データのリスト表示を行った場合の一例を示す表示画面の説明図である。図７は、同一ジャンル内の音楽データの音楽データのリスト表示を行った場合の一例を示す表示画面の説明図である。図８は、上位ランキングの音楽データの音楽データのリスト表示を行った場合の一例を示す表示画面の説明図である。図９は、前回再生した曲順に対応する音楽データの音楽データのリスト表示を行った場合の一例を示す表示画面の説明図である。
【００２４】
具体的には、ステップＳＳ１６の判別において、同一アルバム内の音楽データを検索対象とすべき指示を行うための同一アルバム指示ボタン４Ｈが操作された場合には、図５に示すように、現在再生中の音楽データと同一アルバム名＝「Ａｌｂｕｍ＿Ａ」を有する音楽データのリストが表示されている（ステップＳ１６Ａ）。
ステップＳＳ１６の判別において、同一アーティストの音楽データを検索対象とすべき指示を行うための同一アーティスト指示ボタン４Ｉが操作された場合には、図６に示すように、現在再生中の音楽データと同一アーティスト名＝「Ａｒｔｉｓｔ＿Ａ」を有する音楽データのリストが表示されている（ステップＳ１６Ｂ）。
【００２５】
ステップＳＳ１６の判別において、同じジャンル内の音楽データを検索対象とすべき指示を行うための同一ジャンル指示ボタン４Ｊが操作された場合には、図７に示すように、現在再生中の音楽データと同一ジャンル＝「クラシック」を有する音楽データのリストが表示されている（ステップＳ１６Ｃ）。
ステップＳＳ１６の判別において、似た曲名の音楽データを検索対象とすべき指示を行うための類似曲名指示ボタン４Ｋが操作された場合には、例えば、現在再生中の音楽データの曲名が＝「春の小川」であった場合には、検索対象の音楽データの曲名として「春の歌」、「春の祭典」など「春」含む曲名を有する音楽データや、「小川の四季」など「小川」を含む曲名を有する音楽データのように、曲名に同一の単語を含む音楽データや、「夕立」という単語を含む曲名に対して、「雷雨」、「梅雨」等の似た単語を含んだり、「霧」、「露」などの連想される単語を含む曲名を有する音楽データのリストが表示される（ステップＳ１６Ｄ）。
【００２６】
ステップＳＳ１６の判別において、上位ランキングの音楽データを検索対象とすべき指示を行うためのランキング指示ボタン４Ｌが操作された場合には、再生中の音楽データに登録された「評価基準」を参照し、外部記憶装置内の音楽データを「評価基準」に従って並べ替えし、リスト表示する（ステップＳ１６Ｅ）。ここで「評価基準」としては、例えば、今までの再生回数が多いものが高い評価値としたり、ユーザが自由に評価値を設定したり、両者を組み合わせてシステムが自動的に評価値を設定させるようにしてもよい。
より具体的には、図８に示すように、「評価基準」を得点(星の数)で表したものであり、現在再生中の音楽データを中心として、その上部側により評価値の高いもの、下部側により評価値の低いものを配置した、あるランキング範囲の音楽データのリストが表示されている。
【００２７】
ステップＳＳ１６の判別において、前回再生した曲順に対応する音楽データを検索対象とすべき指示を行うための前回再生曲順指示ボタン４Ｍが操作された場合には、図９に示すように、再生中の音楽データが以前再生されたときの日時をリストの中心に表示し、当該音楽データの前後の曲順をリスト表示する（ステップＳ１６Ｆ）。
続いて、制御部１は、ユーザが操作部２を介して、表示したリストから１曲選択したか否かを判別する（ステップＳ１７）。
ステップＳ１７の判別において、ユーザが表示したリストから１曲選択した場合には（ステップＳ１７；Ｙｅｓ）、当該音楽データに対応する一曲再生指示がなされ（ステップＳ１８）、処理をステップＳ１２に移行する。この結果、制御部１は、インターフェース部７を介してディスク再生装置９あるいは外部記憶装置１０から再生指示に従って音楽データを読み出し、音楽データ再生を行い（ステップＳ１２）、処理を以下同様に継続する。
【００２８】
ステップＳ１７の判別において、ユーザが表示したリストから１曲選択したのではない場合には（ステップＳ１７；Ｎｏ）、制御部１は、ユーザが操作部２を介して、表示したリスト全体を選択したか否かを判別する（ステップＳ１９）。
ステップＳ１９の判別において、ユーザが表示したリスト全体を選択した場合には（ステップＳ１９；Ｙｅｓ）、表示しているリストからプレイリストを作成し、プレイリスト再生指示がなされ（ステップＳ２０）、処理をステップＳ１２に移行する。この結果、制御部１は、インターフェース部７を介してディスク再生装置９あるいは外部記憶装置１０からプレイリストに記載された再生指示に従って音楽データを読み出し、順次音楽データ再生を行う（ステップＳ１２）。
この結果、リスト表示している順序で、音楽データが連続で再生される。たとえば「ランキング」のリストを連続再生指示すると、評価値の近い音楽データを連続再生することができ、いわゆる「お気に入り」のような使い方ができる。
ステップＳ１９の判別において、ユーザが表示したリスト全体をしたのではない場合には（ステップＳ１９；Ｎｏ）、再び処理をステップＳ１４に移行し、以下、同様の処理を行う。
【００２９】
以上の説明のように、本実施形態によれば、音楽データを検索するときに、全音楽データを対象にして最初から検索するのではなく、再生中の音楽データに関連する情報に基づいて他の音楽データを検索するので、ユーザが効率よく検索、選択を行うことが可態となる。
【００３０】
以上の説明においては、検索の絞り込みについては言及しなかったが、検索絞り込みを行うように構成することも可能である。
たとえば始めに「同じアーティスト」で検索し、現在再生中の音楽データに登録された「アーティスト名」に基づいて、全音楽データの中から同一のアーティスト名データを有する音楽データを抽出し、リスト表示する。続いて、「ランキング」で検索したとすると、同一アーティスト名データを有する音楽データが、評価値の高い順で並べ替えが行われ、上述したように再生中の音楽データを中心におき、リスト表示する。この結果についても、一つの音楽データを選択して再生したり、リスト全体の連続再生をしたり、することもできるし、さらに再び絞り込みをおこなうこともできる。
【００３１】
以上の説明においては、車載用情報機器を制御するための制御プログラムが制御部１を構成する予めＲＯＭに記憶されている場合について説明したが、各種磁気ディスク、光ディスク、メモリカードなどの記録媒体に制御用プログラムをあらかじめ記録し、これらの記録媒体から読み込み、インストールするように構成することも可能である。また、通信インターフェースを設け、インターネット、ＬＡＮなどのネットワークを介して制御用プログラムをダウンロードし、インストールして実行するように構成することも可能である。このように構成することにより、ソフトウェア的により高機能としたり、より信頼性の高い車載用情報機器を構成することが可能となる。
【図面の簡単な説明】
【００３２】
【図１】実施形態の車載用情報機器の概要構成ブロック図である。
【図２】本発明の実施形態の処理フローチャートである。
【図３】音楽データ再生時の画像表示部の表示画面の一例を説明する図である。
【図４】関連曲検索指示がなされた場合の画像表示部の表示画面の一例を説明する図である。
【図５】同一アルバム内の音楽データのリスト表示を行った場合の一例を示す表示画面の説明図である。
【図６】同一アーティストの音楽データのリスト表示を行った場合の一例を示す表示画面の説明図である。
【図７】同一ジャンル内の音楽データの音楽データのリスト表示を行った場合の一例を示す表示画面の説明図である。
【図８】上位ランキングの音楽データの音楽データのリスト表示を行った場合の一例を示す表示画面の説明図である。
【図９】前回再生した曲順に対応する音楽データの音楽データのリスト表示を行った場合の一例を示す表示画面の説明図である。
【符号の説明】
【００３３】
１００…車載用情報機器、１…制御部、２…操作部、３…画像合成部、４…画像表示部、５…復号部、６…音楽出力部、７…インターフェース部、８…外部ＲＡＭ、９…ディスク再生装置、１０…外部記憶装置。
【図１】
2005284574.tif 000003
【図２】
2005284574.tif 000004
【図３】
2005284574.tif 000005
【図４】
2005284574.tif 000006
【図５】
2005284574.tif 000007
【図６】
2005284574.tif 000008
【図７】
2005284574.tif 000009
【図８】
2005284574.tif 000010
【図９】
2005284574.tif 000011